(57)【要約】　　　（修正有）【課題】ここに登場する、新スタンス法は、パットの反復自在化に一歩足を踏み込むものであり、従来にない画紀的の概念をパットに導入しようとするものである。ルール本を片手に発想された一連の創作は、公式戦で既使えるものであり、したがって広くパット界に影響を及ぼして行くものと思われる。【解決手段】先ず球に、赤道線と子午線という２本の全周線をセットする。そして、パットに先がけて、拾い上げ、球を戻す時に、カップイン線と赤道線が一本になる様に、慎重に球を置く。他方、左右の靴の前半位置に、タテ・ヨコの交差する十字の線を設置する。そして、球の各線と靴の名線に細心の注意をはらい乍らスタンスに入る。つまり、幾何学的な直線や直角を、眼下の球や靴に備えて、視覚的に、条件反射的に、初心者にもプロにも、常に一様に正しい安定したスタンスをとれる様にしよう、というわけである。【選択図】　図１
2004073811.tif 000002
【特許請求の範囲】
【請求項１】
球の赤道と子午線に、各一周する、円線の着いた、ゴルフの球。
【請求項２】
靴の前半部分に、タテ・ヨコの、十字の目安線の着いた、ゴルフ用の靴。
【請求項３】
色の濃淡の違いによって、自然発生する境界を、赤道や子午線に見立てる事の出来る、線引によらない、境界の着いたゴルフの球。
【請求項４】
赤道線、子午線を、スタンスや打球の目安にしようとする十字が二つ出る目安の方法。
【発明の詳細な説明】
【０００１】
【産業上の利用分野】
これは、平成１４年５月２４日、及び同年、７月３０日出願の、パットの改革に係わる、関連出願である。
原出願等の要点は、球を正面に置いて打つパットを止め、球を左辺に置いて、カップを見て、球をめくら打ちする、というものであった。
先ず、左辺の球を打てる様に、ヘッドの厚さを１ｃｍぐらいにする。アドレス位置も球の直後とせず、球から１０〜３０ｃｍぐらい離す。この後、１〜２ｃｍの短かいバックをとって打つ、というものであった。
かかる新打法には、外にも改革点が付属しており、これは、その中の一つである。
ここに登場するのは、球と靴に十字の直線を設け、この目安線を見乍ら、自然に正しいスタンスがとれる様にする、というものである。
【０００２】
【従来の技術】
裁定集の、規則１６条、第一項、ｂによれば、プレイヤーはマークをすれば、どの様な理由であれ、グリーン上の球を拾い上げる事を認めて居る。
ルールの、かかるおきてに便乗して、球や靴に球を正しく打てる、幾何学的なアイデアを施そう、というわけである。
自分ではチヤントスタンスがとれて居るつもりで居ても、周囲から見るとおかしい、という事は、アマ・プロ共通で良く起こる現象である。
そこでこの発明では、球の赤道と子午線に、極細の線輪を設置して、これを目安に、ワンタッチのスタンスを、反復出来る様にする、という次第である。
図２のＡの１は赤道線、２は子午線、３−３′は十字の交差点である。拾い上げた球をもとに戻すこの時、故意に赤道１を、１′のカップイン線に合わせる。交差点３の十字が、常に真上になる様に、細心に注意をはらう。
【０００３】
【発明が解決しようとする課題】
他方、靴の前半位置に、各図に示す様に、巾３ミリぐらいの十字の線を装着する。球を指定席にすえたら次に、球の十字線と、靴の十字線を良く見較べ乍ら、スタンスの微調整に入る。
眼下に短い乍ら、直線や、直角が幾つもある、というこの事態は椿事である。何故というに、特に考えたり、見較べたりする事なく、視覚の条件反射で、兩足が勝手に統一を目指して自動自転することからである。パターのセットにも貢献。
この新スタンスには、上手も下手もない。大人も子供もない。練習なんて関係がない。ワンヒント情報を得る事で、完璧なスタンスしかとれなくなる。
【０００４】課題を解決する為の手段
人は、その本能として、直線とか曲線とか円とか、微妙なバランスを瞬時に見抜く超能力を持ち備えている。ほんの僅かの乱れをどこかに伏せかくしておいても、あれがおかしい、と一様な答えをはじき出す。
そうではあるが、この能力は何もない空間では発揮出来ない。ゴルフの球には直線をイメージさすものは、何もない。この事は靴においても同じである。つまり、従来のパット時の、眼前の状況は、空間に等しい、という見方が成り立つ。そこで、球と靴に、空間を打ち消す、直線や直角を設置して、人本来のバランス感覚が目覚める様にする、という考え方である。
【０００５】
【作用】
この発明は、過去の二つの出願と切っても切れぬ関係にある。したがって、前の発明を知って頂く意味で、図１、図２、を再掲した次第。
図１、図２の後は、靴に着いて居る、４、５の摺動部片を１〜２ｃｍすべらせてバックをとり、そしてダウンスイングに入る。図１は、ロングパットのアドレス図、図３は、ショートのアドレス図である。摺動面は平面。
球と靴に、直線をセットするというこの発明は、独立独歩出来、現行のパットに合流しても、その威力を発揮するが、現行のパットより優れて居ると思われる、一点集中打法と重なり合った時、始めて、水を得た魚のイメージて、相乗効果、元気はつらつとなる。
赤道線や、子午線を球にセットする方々は、その他いろいろとある。上記の如く、球に線を引くという事ではなく、自然に線が出る、という事など、その一つである。
既製の球の南半球を、ほんの少し色が違う、同じ白色とする。この局面で赤道に、境界線が自然発生する。同様な考え方で、東半球に適切な薄い色をセットする。この様にすればおのずから、西半球との間に境界線が発生する。つまり、線を引かずに、線以外で、線相当のものが出来上がる。
若し、赤道も子午線も引いてはならない、という状況が出て来たとすると、この発想がものを言う。注意して良く良く見なければ分らなない、という類の赤道や子午線は、これを線引きとは特定出来ない道理。つまり、線引は違法、境界線式は、見て見ぬふり、という微妙な逃げ切りを目指すわけである。
又メーカー名が球にプリントされて居るが、多くの場合その長さは２〜３ｃｍぐらい。中には球を一周して居るものもある。番数字や、マークからなるかかるプリントは、赤道線や子午線を意識して作られたものではなく、したがって、このままでは、目安としての働きは殆んどない。タテとヨコの二本の線、十字の交差点があるということ、これが目安えの昇格ポイントである。
【０００６】
【実施例】
図２のＢは、赤道線を球に組入れる時の説明図である。赤道線３は、極細の黒線が良いと思われる。余り太くし過ぎるとヤボな感じで、せん細なイメージを欠く。色は白等どの様な色でも良い。
ゴルフの球は、二つの半円を合わせて作る。この合わせ目が、やや高めに一周して居るから、ここに赤道線を書き入れる。子午線も同様にしたいが、出来ない場合があり、したがってこの辺の事は球により切り、臨機応変とする。
理想としては、赤道を常に打つという事、赤道外の穴の上や、穴の端を打つと、微妙な乱れが派生する。赤道線をカップイン線に合わせて球を置く、と前に書いたが、赤道を打つ理由は、穴から外れた平面を打ちたいからでもある。
赤道線を実線とし、子午線を点線にする方が良い。赤道線を常に意識する事、この様に習慣づければ、球を置く行程がスピーデイになる。
【０００７】
【発明の効果】
人の介するスポーツには、反復自在という概念は通用しない。しかし乍ら、これに一歩近づくイメージでスタンスがとれ、そして、靴アドレス、靴バック、靴ダウンスイング、等という説得力のある、新打法がここに見出された。
将来的には多分、図３の、サイド・サドルの時代が来るものと思われる。理由は、やって居て緊張等の違和感がなく、打球が確率良くピンにからまり、これが自尊心を満たす本来のパットである・・・という思いが心の奥に自然発生するからである。グリップはベースボールグリップに決める。
サイド・サドルの宗祖は、アメリカのサム・スニドというゴルフの名手である。スニードが見出した前向き打法が、出世の時節を迎えた様である。
【図面の簡単な説明】
【図１】は、従来の左向き打法での本発明実施図。
【図２】は、球に設置する赤道線と、子午線の説明図。
【図３】は、前向きサイド・サドルでの応用図。
【符号の説明】
１は、赤道線。
２は、子午線。
３は、十字の交差点、３′も同じ。
４は、靴の先端に設置した、摺動片。
５は、右靴の右端に設置した摺動片。
【図１】
2004073811.tif 000003
【図２】
2004073811.tif 000004
【図３】
2004073811.tif 000005